(57)【要約】【課題】  保持筒内の前端側に芯ブレーカを容易に装着する。【解決手段】  シャープペンシルユニットであって、鉛芯ｘを芯ブレーカ３０に挿通して繰出すようにした鉛芯繰出し機構Ｍ１と、鉛芯繰出し機構Ｍ１を内在する保持筒１０とを備え、保持筒１０は、第１の筒部１１と、この第１の筒部１１の後側に接続されるとともに芯ブレーカ３０を前端開口部に挿通して前方へ突出する第２の筒部１２とを一体的に具備し、芯ブレーカ３０は、第２の筒部１２の前端開口部に対しその前方側から挿入可能に形成されている。【選択図】  図２
2020116837.tif 000002
【特許請求の範囲】
【請求項１】
鉛芯を芯ブレーカに挿通して繰出すようにした鉛芯繰出し機構と、前記鉛芯繰出し機構を内在する保持筒とを備え、
前記保持筒は、第１の筒部と、この第１の筒部の後側に接続されるとともに前記芯ブレーカを前端開口部に挿通して前方へ突出する第２の筒部とを一体的に具備し、
前記芯ブレーカは、前記第２の筒部の前端開口部に対しその前方側から挿入可能に形成されていることを特徴とするシャープペンシルユニット。
【請求項２】
前記芯ブレーカは、その後端縁の外径を、前記第２の筒部の前端開口縁の内径よりも小さく設定していることを特徴とする請求項１記載のシャープペンシルユニット。
【請求項３】
前記芯ブレーカの後端側が、後方へ向かって徐々に縮径していることを特徴とする請求項２記載のシャープペンシルユニット。
【請求項４】
前記芯ブレーカの前端側が、前記第２の筒部よりも前側で拡径していることを特徴とする請求項１〜３何れか１項記載のシャープペンシルユニット。
【請求項５】
前記芯ブレーカの前寄りの外周面と前記第２の筒部の内周面との間に、前側が後側よりも大きくなる隙間を設けたことを請求項１〜４何れか１項記載のシャープペンシルユニット。
【請求項６】
前記第１の筒部の前端開口部に挿通されて前方へ突出するホルダーと、前記鉛芯から前記ホルダーに加わる径方向の力成分により前記ホルダーを前記第１の筒部に相対し前進させ傾斜させる運動方向変換機構と、前記ホルダーを後方へ付勢するホルダー付勢部材とを備え、前記ホルダーの後端部を前記芯ブレーカにより弾性的に受けていることを特徴とする請求項１〜５何れか１項記載のシャープペンシルユニット。
【請求項７】
請求項１〜６何れか１項記載のシャープペンシルユニットを具備したことを特徴とする出没式筆記具。
【請求項８】
前記芯ブレーカを前記第２の筒部の前端開口部に対しその前方側から挿入する工程を含むことを特徴とする請求項１〜６何れか１項記載のシャープペンシルユニットの製造方法。
【発明の詳細な説明】
【技術分野】
【０００１】
本発明は、シャープペンシル用リフィールやシャープペンシル等を構成するシャープペンシルユニット、及び該シャープペンシルユニットを具備した出没式筆記具、並びに該シャープペンシルユニットの製造方法に関するものである。
【背景技術】
【０００２】
従来、この種の発明に関連し、例えば特許文献１には、保持筒と、保持筒の前側開口部に挿通されてこの保持筒の前端から前方へ突出するとともにこの保持筒に対し進退可能に支持されたホルダーと、鉛芯を芯ブレーカに挿通し前記ホルダーへ向けて繰出す鉛芯繰出し機構と、鉛芯からホルダーに加わる径方向の力によりこのホルダーを保持筒及び鉛芯に相対し前進させ傾斜させる運動方向変換機構と、前記ホルダーを前記保持筒に対し後方へ付勢するホルダー付勢部材とを備えたシャープペンシルユニットが記載されている。そして、このシャープペンシルユニットを軸筒に収容すれば、容易に出没式筆記具を構成することができる。
この出没式筆記具によれば、所定の操作によりシャープペンシルユニットを前進させて、このシャープペンシルユニットの前端のホルダーを軸筒前端の開口から突出させた状態において、ホルダーから突出した鉛芯に径方向の力が加わると、ホルダーが保持筒及び鉛芯に相対して前進するため、このホルダーにより鉛芯を覆い保護することができる。
また、前記径方向の力が除去された際には、後退する際のホルダーを、弾性を有する芯ブレーカの前端部に当接して、その当接音を緩和することができる。
【先行技術文献】
【特許文献】
【０００３】
【特許文献１】特開２０１７−１５９５８０号公報
【発明の概要】
【発明が解決しようとする課題】
【０００４】
しかしながら、前記従来技術によれば、底の深い第２の筒部に対し、その後方側から芯ブレーカを挿入し、この芯ブレーカを棒状の治具等により底部まで押し込む必要があり、作業工数の改善が求められていた。
【課題を解決するための手段】
【０００５】
このような課題に鑑みて、本発明は、以下の構成を具備するものである。
鉛芯を芯ブレーカに挿通して繰出すようにした鉛芯繰出し機構と、前記鉛芯繰出し機構を内在する保持筒とを備え、前記保持筒は、第１の筒部と、この第１の筒部の後側に接続されるとともに前記芯ブレーカを前端開口部に挿通して前方へ突出する第２の筒部とを一体的に具備し、前記芯ブレーカは、前記第２の筒部の前端開口部に対しその前方側から挿入可能に形成されていることを特徴とするシャープペンシルユニット。
【発明の効果】
【０００６】
本発明は、以上説明したように構成されているので、保持筒内の前端側に芯ブレーカを容易に装着することができる。
【図面の簡単な説明】
【０００７】
【図１】本発明に係るシャープペンシルユニットの一例を示す縦断面図である。
【図２】芯ブレーカを第２の筒部に挿入する前後の様子を（ａ）と（ｂ）に順次に示す縦断面図である。
【図３】同シャープペンシルユニットを具備した筆記具の一例を示す内部構造図である。
【図４】運動方向変換機構の作用を示す縦断面図であり、（ａ）は通常の筆記状態、（ｂ）はホルダーを前進させた状態を示す。なお、ハッチングは前の状態に対し移動した部分を示す。
【発明を実施するための形態】
【０００８】
本実施の形態では、以下の特徴を開示している。
第１の特徴は、シャープペンシルユニットであって、鉛芯を芯ブレーカに挿通して繰出すようにした鉛芯繰出し機構と、前記鉛芯繰出し機構を内在する保持筒とを備え、前記保持筒は、第１の筒部と、この第１の筒部の後側に接続されるとともに前記芯ブレーカを前端開口部に挿通して前方へ突出する第２の筒部とを一体的に具備し、前記芯ブレーカは、前記第２の筒部の前端開口部に対しその前方側から挿入可能に形成されている（図１、図２及び図４参照）。
【０００９】
第２の特徴として、前記芯ブレーカは、その後端縁の外径を、前記第２の筒部の前端開口縁の内径よりも小さく設定している（図２参照）。
【００１０】
第３の特徴として、前記芯ブレーカの後端側が、後方へ向かって徐々に縮径している（図２参照）。
【００１１】
第４の特徴として、前記芯ブレーカの前端側が、前記第２の筒部よりも前側で拡径している（図２参照）。
【００１２】
第５の特徴は、前記芯ブレーカの前寄りの外周面と前記第２の筒部の内周面との間に、前側が後側よりも大きくなる隙間を設けた（図２参照）。
【００１３】
第６の特徴は、前記第１の筒部の前端開口部に挿通されて前方へ突出するホルダーと、前記鉛芯から前記ホルダーに加わる径方向の力成分により前記ホルダーを前記第１の筒部に相対し前進させ傾斜させる運動方向変換機構と、前記ホルダーを後方へ付勢するホルダー付勢部材とを備え、前記ホルダーの後端部を前記芯ブレーカにより弾性的に受けている（図４参照）。
【００１４】
第７の特徴は、上記シャープペンシルユニットを具備して出没式筆記具を構成した（図３参照）。
【００１５】
第８の特徴は、上記シャープペンシルユニットの製造方法であって、前記芯ブレーカを前記第２の筒部の前端開口部に対しその前方側から挿入する工程を含む（図２参照）。
【００１６】
＜具体的実施態様＞
次に、上記特徴を有する具体的な実施態様について、図面に基づいて詳細に説明する。本明細書中、軸方向とは、保持筒１０の中心線の延びる方向を意味する。また、「前」とは、前記軸方向の一方側であって鉛芯が繰り出される方向を意味する。また、「後」とは、前記一方側に対する逆方向側を意味する。
【００１７】
図１に示すシャープペンシルユニット１は、鉛芯ｘを芯ブレーカ３０に挿通して繰出すようにした鉛芯繰出し機構Ｍ１と、鉛芯繰出し機構Ｍ１を内在する保持筒１０と、保持筒１０から前方へ突出するホルダー２０と、鉛芯ｘからホルダー２０に加わる径方向の力成分によりホルダー２０を保持筒１０及び鉛芯ｘに相対し前進させ傾斜させる運動方向変換機構Ｍ２と、保持筒１０の後端側に接続された芯タンク部６０とを具備し、芯タンク部６０の進退操作により鉛芯ｘを繰り出す。
【００１８】
保持筒１０は、ホルダー２０を前端開口部に挿通して前方へ突出する第１の筒部１１と、この第１の筒部１１の後端側に同芯状に接続されるとともに芯ブレーカ３０を前端開口部から前方へ突出する第２の筒部１２と、第２の筒部１２の後端側に同芯状に接続された第３の筒部１３とを一体的に具備している。
なお、第２の筒部１２と第３の筒部１３は、一体の部材から構成することも可能である。
【００１９】
第２の筒部１２は、金属等の硬質材料により前後方向へわたる筒状に形成される。
この第２の筒部１２における外周面の前端側には、第１の筒部１１の内周面に重なり合って接合される接合面１２ａと、接合面１２ａよりも後側を拡径することで形成される段部１２ｂとが形成される（図２参照）。
【００２０】
接合面１２ａは、第１の筒部１１の内周面に対し、圧入嵌合又は螺合接続によって一体化される。
段部１２ｂは、第１の筒部１１の後端部に当接して、第１の筒部１１に対し第２の筒部１２を前後方向に位置決めする。
【００２１】
また、第２の筒部１２における内周面の前端側には、図２に示すように、芯ブレーカ３０に対し凹凸状に嵌り合う環状の係止凸部１２ｃと、前方側から挿入される芯ブレーカ３０を弾性的に収縮させるガイド面部１２ｄと、係止凸部１２ｃより後側で芯ブレーカ３０の後端側外周面に嵌合する被嵌合面１２ｅとが形成される。
【００２２】
係止凸部１２ｃは、径方向内側へ突出する環状の突起であり、図２（ｂ）に例示するように、芯ブレーカ３０の凹部３２に緩嵌合する。
【００２３】
ガイド面部１２ｄは、後方へむかって徐々に縮径する環状の傾斜面であり、その後端側が係止凸部１２ｃ内径面に接続されている。
このガイド面部１２ｄは、芯ブレーカ３０の凹部３２底面との間に、隙間ｓ（図２（ｂ）参照）を確保している。
【００２４】
被嵌合面１２ｅは、係止凸部１２ｃの内径面に対し段状に拡径した円筒状の内面である。この被嵌合面１２ｅは、後述する芯ブレーカ３０の圧接部３１に圧接されるように、その内径が圧接部３１の外径よりも小さく設定されている。
【００２５】
芯ブレーカ３０は、エラストマー樹脂や合成ゴム等の弾性材料によって略円筒状に形成され、第２の筒部１２の前端開口部に対し、前方側から挿入される。図２参照）。
この芯ブレーカ３０の外周面には、第２の筒部１２の被嵌合面１２ｅに圧接される環状の圧接部３１と、圧接部３１よりも前側で第２の筒部１２の係止凸部１２ｃに緩嵌合する環状の凹部３２と、凹部３２及び第２の筒部１２前端よりも前側で拡径した環状の拡径部３３とが設けられる。
【００２６】
圧接部３１の後端縁には、第２の筒部１２のガイド面部１２ｄへの挿入を容易にする面取り部３７が設けられる。
この面取り部３７は、第２の筒部１２の前端開口縁（詳細には、ガイド面部１２ｄの前端縁）の内径よりも小さく、且つ後方へ向かって徐々に縮径する環状に形成される。
なお、この面取り部３７は、図示例によればＣ面取り状に形成されるが、他例としてはＲ面取り状に形成してもよい。
【００２７】
凹部３２は、その前後の部位よりも径方向内側へ凹んだ円筒状に形成される。
この凹部３２の底面の外径は、第２の筒部１２の係止凸部１２ｃ内径よりも小さく設定される。
【００２８】
拡径部３３の後部側には、後方へ向かって徐々に縮径する環状の傾斜面３３ａが形成される。この傾斜面３３ａは、図２（ｂ）に示すように、ガイド面部１２ｄから離れて位置する。
また、拡径部３３の前端側は、ホルダー２０の受け部２２をその後方側から弾性的に受ける（図４参照）。
【００２９】
第２の筒部１２内の隙間ｓ（図２（ｂ）参照）は、芯ブレーカ３０の前寄りの外周面（詳細には凹部３２底面の前側）と、第２の筒部１２の内周面（詳細にはガイド面部１２ｄ）との間に位置し、前方へ向かって徐々に大きくなる。
【００３０】
そして、芯ブレーカ３０の内周面には、その後部側で前方へ向かって徐々に縮径した環状の鉛芯導入面３４と、この鉛芯導入面３４よりも前側で鉛芯ｘの外周面に対し弾性的に緩圧接される環状の緩圧接部３５と、この緩圧接部３５よりも前側で拡径された環状の拡径内面部３６とが設けられる。
【００３１】
また、鉛芯繰出し機構Ｍ１は、図１に示すように、第２の筒部１２内に保持された前記芯ブレーカ３０と、芯ブレーカ３０よりも後側で進退運動するチャック部４０と、チャック部４０に対し後側から環状に嵌り合うクラッチリング４１と、クラッチリング４１をその後方側から受ける略筒状のクラッチ受け４２と、チャック部４０の後端側を支持する支持部材４３と、支持部材４３の後端側に接続されて芯タンク部６０の進退を案内するガイド筒部４４と、第１〜第３の付勢部材５１〜５３とを備える。
この鉛芯繰出し機構Ｍ１は、芯タンク部６０から伝達される進退運動により、チャック部４０に挟持した鉛芯ｘを繰り出す。また、この鉛芯繰出し機構Ｍ１は、チャック部４０に挟持した鉛芯ｘに予め設定された筆圧よりも強い後向きの付勢力が加わった際に、鉛芯ｘと共にチャック部４０等を後退させる。
【００３２】
また、運動方向変換機構Ｍ２は、第１の筒部１１、第１の筒部１１に内在されて前方へ突出するホルダー２０、ホルダー２０を後方へ付勢するホルダー付勢部材２３等によって構成され、鉛芯ｘを介してホルダー２０に加わる径方向の力成分により、鉛芯ｘ及び保持筒１０等に相対しホルダー２０を前進させる。
【００３３】
ホルダー２０は、カム斜面２１ａを有するホルダー本体部２１と、ホルダー本体部２１の後側に接続された受け部２２とから一体的に構成され、保持筒１０に対し進退可能に支持される。このホルダー２０は、鉛芯ｘに加わる径方向の力成分により前進した際、若干傾斜する（図４参照）。なお、ホルダー本体部２１と受け部２２は、一体の部材とすることが可能である。
【００３４】
なお、鉛芯繰出し機構Ｍ１及び運動方向変換機構Ｍ２の基本構造には、特許文献１のものを適用することが可能である。
【００３５】
また、芯タンク部６０は、前端部を開口した略筒状に構成され、鉛芯繰出し機構Ｍ１に対し後方側から鉛芯ｘを供給する。この芯タンク部６０は、保持筒１０の後端側に進退可能に係合したスライド筒部６１と、このスライド筒部６１に接続されて後方へ延設された円筒状のタンク本体部６２とから構成される。これらスライド筒部６１とタンク本体部６２は、一体の部材から形成することが可能である。
【００３６】
次に、上記構成のシャープペンシルユニット１について、その製造方法上の特徴を説明する。
シャープペンシルユニット１の製造方法では、図２に示すように、芯ブレーカ３０を第２の筒部１２の前端開口部に対しその前方側から挿入する工程を含む。
【００３７】
詳細に説明すれば、先ず、第２の筒部１２の前方側に、芯ブレーカ３０を同芯状に配置する。
そして、芯ブレーカ３０を後方へ移動し、この芯ブレーカ３０の面取り部３７を第２の筒部１２のガイド面部１２ｄに当接する。
さらに、芯ブレーカ３０の後方への移動を継続すると、芯ブレーカ３０の圧接部３１が、係止凸部１２ｃに押し付けられて弾性的に収縮し、係止凸部１２ｃを乗り越えるようにして後方へ移動し、被嵌合面１２ｅに圧接する。そして、凹部３２と係止凸部１２ｃが緩嵌合する。
【００３８】
よって、上記製造方法によれば、芯ブレーカ３０を、芯ブレーカ３０に対しその前方側から容易に装着し、前後方向へ移動しないように係止することができる。
【００３９】
なお、図２に示す一例では、単体の第２の筒部１２に対しその前方側から芯ブレーカ３０を装着しているが、他例としては、予め他の構成（第３の筒部１３、鉛芯繰出し機構Ｍ１及び芯タンク部６０等）を装着した第２の筒部１２に対しその前方側から芯ブレーカ３０を装着することも可能である。
【００４０】
そして、上記構成のシャープペンシルユニット１は、図３に例示するように、多機能出没式筆記具Ａに組み込まれる。
多機能出没式筆記具Ａは、複数の駒ａ２，ａ３を選択的に前進させる操作により、前進した駒ａ２（又はａ３）に接続されたリフィールの前端筆記部を、軸筒ａ１前端から前方へ突出させる。前記リフィールは、図示例によれば、シャープペンシルユニット１又はボールペンリフィール９である。
例えば、開閉機能付きクリップａ６を有する駒ａ２が、コイルスプリングａ４の付勢力に抗して前進操作され、この駒ａ２に接続されたシャープペンシルユニット１（リフィール）の前端筆記部が、軸筒ａ１の前端開口部から前方へ突出すると、駒ａ２が軸筒ａ１内に設けられる係止部ａ５に係止され、この突出状態が維持される。
この突出状態において、クリップａ６を前進させる操作を行えば、シャープペンシルユニット１の前端から鉛芯ｘが繰り出される。
なお、この多機能出没式筆記具Ａには、例えば特開２０１４−１９８４３９号公報に示される基本構造を適用することが可能である。
【００４１】
上記構成の多機能出没式筆記具Ａによれば、図４（ａ）（ｂ）に示すように、鉛芯ｘが強く被筆記面ｐ（例えば紙面等）に押し付けられる等して、鉛芯ｘに過剰な径方向の力が加わった際には、保持筒１０の前端開口部にカム斜面２１ａが摺接することで、鉛芯ｘ及び保持筒１０に相対しホルダー２０が前進する。
そして、前記径方向の力が除去された際には、ホルダー２０がホルダー付勢部材２３の付勢力によって後退し、受け部２２の後端部が芯ブレーカ３０に当接し、芯ブレーカ３０が弾性的に圧縮変形して、図４（ａ）に示す状態に戻る。
前記後退の際、芯ブレーカ３０前端側の拡径部３３が、ガイド面部１２ｄとの隙間ｓに入り込むようにして柔軟に弾性変形する。
よって、前記当接の際の衝撃を効果的に低減して、その衝撃音の発生を防ぐとともに、前記衝撃により芯ブレーカ３０がずれたり外れたりするのを防ぐことができる。
【００４２】
また、ホルダー２０の前進及び傾斜に伴い鉛芯ｘが撓んだ場合（図４（ｂ）参照）でも、この鉛芯ｘの撓みに追従するように芯ブレーカを弾性変形させることができる。このため、前記撓みに起因する鉛芯ｘの折損を防ぐことができる。
【００４３】
なお、上記実施の形態によれば、特に好ましい態様として、運動方向変換機構Ｍ２を具備したが、他例としては、運動方向変換機構Ｍ２を具備しないシャープペンシルユニットに対し、上述した芯ブレーカ３０等の構造を適用することも可能である。
【００４４】
また、本発明は上述した実施態様に限定されず、本発明の要旨を変更しない範囲で適宜変更可能である。
【符号の説明】
【００４５】
１：シャープペンシルユニット
１０：保持筒
１１：第１の筒部
１２：第２の筒部
１３：第３の筒部
２０：ホルダー
３０：芯ブレーカ
３１：圧接部
３２：凹部
３３：拡径部
６０：芯タンク部
ｓ：隙間
ｘ：鉛芯
Ａ：多機能出没式筆記具
Ｍ１：鉛芯繰出し機構
Ｍ２：運動方向変換機構
【図１】
2020116837.tif 000003
【図２】
2020116837.tif 000004
【図３】
2020116837.tif 000005
【図４】
2020116837.tif 000006